(57)【要約】      （修正有）【課題】投光器が大型になっても投光器本体を所望の角度位置で安定して支えることができる投光器を提供する。【解決手段】投光器１は、光を前方に向けて照射するように構成されたランプ本体２と、ランプ本体２を支える支え部材と、一端がランプ本体２に連結され、他端が支え部材に連結された連結装置とを備える。連結装置は、ランプ本体２に対する支え部材の前後方向位置を調節する機能と、水平面に対するランプ本体２の投光角度を調節する機能とを有する。【選択図】図７
0003212490.tif 000002
【実用新案登録請求の範囲】
【請求項１】
光を前方に向けて照射するように構成されたランプ本体と、
前記ランプ本体を支える支え部材と、
一端が前記ランプ本体に連結され、他端が前記支え部材に連結され、前記支え部材に対する前記ランプ本体の前後方向位置を調節する機能および水平面に対する前記ランプ本体の投光角度を調節する機能を有する連結装置とを備える、投光器。
【請求項２】
前記連結装置は、
前記ランプ本体に固定連結されて前後方向に延びるガイドレールと、
前記支え部材に回動可能に連結され、前記ガイドレールに対して相対的に前後方向にスライド可能に設けられているスライド部材とを備える、請求項１に記載の投光器。
【請求項３】
前記ガイドレールに対する前記スライド部材の位置を固定する位置固定具と、
前記支え部材に対する前記スライド部材の傾斜角度を固定する角度固定具とをさらに備える、請求項２に記載の投光器。
【請求項４】
前記角度固定具は、
前記支え部材と前記スライド部材とが対面する領域を回動可能に連結する連結軸と、
前記連結軸を中心とする前記支え部材のリング領域に連続的に設けられた第１環状凹凸部と、
前記連結軸を中心とする前記スライド部材のリング領域に連続的に設けられ、前記第１環状凹凸部に係合する第２環状凹凸部とを備える、請求項３に記載の投光器。
【請求項５】
前記ガイドレールは、前記ランプ本体の底部に固定連結されており、
前記スライド部材は、前記ガイドレールの両側部を抱える抱え部を有する、請求項２〜４のいずれかに記載の投光器。
【請求項６】
前記支え部材は、自立式スタンドの上部に固定されている、請求項１〜５のいずれかに記載の投光器。
【請求項７】
前記支え部材は、バイス式取付具の一端に固定されている、請求項１〜５のいずれかに記載の投光器。
【考案の詳細な説明】
【技術分野】
【０００１】
この考案は、光の照射角度を調節する機能を有する投光器に関するものである。
【背景技術】
【０００２】
照射角度調節機能を有する投光器は、例えば、特開平５−２１７４０１号公報（特許文献１）や特開平７−１５３３０４号公報（特許文献２）に開示されている。
【０００３】
上記の従来技術では、前方に向かって光を照射する投光器本体は、連結軸を介して支え部材に回動可能に支持されている。具体的には、支え部材は、投光器本体の両側部に対面する一対の支えアームを有しており、一対の支えアームと投光器本体の両側部とが止めネジを兼用した連結軸によって回動可能に連結されている。投光器本体は、連結軸を中心として回動可能に設けられているので、所望の光照射角度となるように連結軸周りで角度調節された後に止めネジ等によって固定される。
【先行技術文献】
【特許文献】
【０００４】
【特許文献１】特開平５−２１７４０１号公報
【特許文献２】特開平７−１５３３０４号公報
【考案の概要】
【考案が解決しようとする課題】
【０００５】
従来構造の投光器の場合、投光器が大型になると、重量的に止めネジ兼用連結軸によって投光器本体を安定して支えることができなくなり、投光器本体が意図に反して連結軸周りに回動してしまうことがある。
【０００６】
２個の止めネジ兼用連結軸がそれぞれ支えアームと投光器本体とを固定していたとしても、投光器本体が僅かでも動くと、どちらか一方の止めネジが弛み勝手になり、首ダレを起こす問題が生じる。
【０００７】
本考案の目的は、投光器が大型になっても投光器本体を所望の角度位置で安定して支えることができるようにすることである。
【課題を解決するための手段】
【０００８】
本考案に従った投光器は、光を前方に向けて照射するように構成されたランプ本体と、このランプ本体を支える支え部材と、連結装置とを備える。連結装置は、一端がランプ本体に連結され、他端が支え部材に連結されており、支え部材に対するランプ本体の前後方向位置を調節する機能および水平面に対するランプ本体の投光角度を調節する機能を有する。
【０００９】
一つの実施形態では、連結装置は、ランプ本体に固定連結されて前後方向に延びるガイドレールと、支え部材に回動可能に連結され、ガイドレールに対して相対的に前後方向にスライド可能に設けられているスライド部材とを備える。投光器は、好ましくは、ガイドレールに対するスライド部材の位置を固定する位置固定具と、支え部材に対するスライド部材の傾斜角度を固定する角度固定具とをさらに備える。
【００１０】
好ましい実施形態では、角度固定具は、支え部材とスライド部材とが対面する領域を回動可能に連結する連結軸と、連結軸を中心とする支え部材のリング領域に連続的に設けられた第１環状凹凸部と、連結軸を中心とするスライド部材のリング領域に連続的に設けられ、第１環状凹凸部に係合する第２環状凹凸部とを備える。
【００１１】
好ましい実施形態では、ガイドレールは、ランプ本体の底部に固定連結されており、スライド部材は、ガイドレールの両側部を抱える抱え部を有する。
【００１２】
支え部材は、例えば、自立式スタンドの上部に固定されてもよいし、バイス式取付具の一端に固定されてもよい。
【考案の効果】
【００１３】
本考案によれば、連結装置が、支え部材に対するランプ本体の前後方向位置調節機能と、水平面に対するランプ本体の投光角度調節機能とを有しているので、適切な重量バランスとなるようにランプ本体の前後位置を調節した上で投光角度調節を行うことができる。したがって、投光器が大型になって重くなったとしても、投光器本体を所望の角度位置で安定して支えることができる。
【図面の簡単な説明】
【００１４】
【図１】バイス式取付具に装着された投光器を前方から見た図である。
【図２】投光器を後方下部から見た斜視図である。
【図３】投光器の正面図である。
【図４】投光器の右側面図（後方から見た図）である。
【図５】投光器を後方上部から見た斜視図である。
【図６】図５に示す状態から支え部材を分離した状態を示す斜視図である。
【図７】投光器の正面図であり、スライド部材の位置変更を示す図である。
【考案を実施するための形態】
【００１５】
図示するように、投光器１は、光を前方に向けて照射するように構成されたランプ本体２と、ランプ本体２を支える支え部材３と、一端がランプ本体２に連結され、他端が支え部材３に連結された連結装置４とを備える。連結装置４は、後に詳しく説明するが、ランプ本体２に対する支え部材３の前後方向位置を調節する機能と、水平面に対するランプ本体２の投光角度を調節する機能とを有する。
【００１６】
ランプ本体２は、電気制御部品等を内蔵した本体容器２１と、前方に向けて光を照射する電球グローブ２２と、電球グローブ２２を覆うカバー枠２３とを備える。
【００１７】
図示した実施形態では、図１に示すように、支え部材３は、バイス式取付具５の一端に固定される。支え部材３は、バイス式取付部５の一端に止めネジつまみ３２を介して固定連結される筒体３１と、筒体３１の上端から上方に突出する第１接続部３３（図５、図６参照）とを備える。
【００１８】
連結装置４は、ランプ本体２に固定連結されて前後方向に延びるガイドレール４１と、支え部材３に回動可能に連結され、ガイドレール４１に対して相対的に前後方向にスライド可能に設けられているスライド部材４２とを備える。
【００１９】
図示した実施形態では、ガイドレール４１は、ランプ本体２の底部中央に位置する。ガイドレール４１の底部には、両側方に張り出した張り出し部４１ａ（図４参照）が設けられている。
【００２０】
スライド部材４２は、ガイドレール４１の両側部、具体的にはガイドレール４１の張り出し部４１ａを抱える抱え部４２ａ（図４参照）を有する。さらに、スライド部材４２は、下方に突出した第２接続部４３を有する（図６参照）。支え部材３の第１接続部３３とスライド部材４２の第２接続部４３とは、互いに面するようにされており、その両者は、連結軸一体の止めネジつまみ３４（図５参照）を介して回動可能に連結されている。
【００２１】
ガイドレール４１に対するスライド部材４２の前後方向位置を固定する位置固定具は、スライド部材４２の前端および後端に配置されたスライド固定ネジ４５を含む。
【００２２】
支え部材３に対するスライド部材４２の傾斜角度を固定する角度固定具は、既述した連結軸一体止めネジつまみ３４と、連結軸を中心とする支え部材３の第１接続部３３のリング領域に連続的に設けられた第１環状凹凸部３５と、連結軸を中心とするスライド部材４２の第２接続部４３のリング領域に連続的に設けられ、第１環状凹凸部３５に係合する第２環状凹凸部４４とを含む。
【００２３】
図３において想像線で示すように、支え部材３の第１接続部３３とスライド部材４２の第２接続部４３とを連結している止めネジつまみ３４を弛めると、第１環状凹凸部３５と第２環状凹凸部４４との係合状態が解除され、両者を相対的に回動させて投光角度を調節することが可能である。所望の投光角度になったら、止めネジつまみ３４を締めて、第１環状凹凸部３５と第２環状凹凸部４４とを係合状態にもたらす。
【００２４】
ランプ本体２に対するスライド部材４２の前後方向位置を調節する際には、スライド部材４２の前端および後端に位置するスライド固定ネジ４５を弛める。図７は、スライド部材４２のオリジナル位置を想像線で示し、変更後の位置を実線で示している。
【００２５】
図７に示すようにスライド部材４２をガイドレール４１に沿って前方に移動させ、前方で固定するようにすれば、スライド部材４２に作用するランプ本体２の重量バランスを適切なものにすることができるので、ランプ本体２の重みに起因する首ダレを抑制することができる。
【００２６】
図７において想像線で示すスライド部材４２の後方位置は、例えば、ランプ本体２が軽量のとき、あるいは、ランプ本体２の後方部分に十分なスペースがなく、ランプ本体２をスライド部材４２よりも後方に大きく突出させることが困難な場合等に採用される。
【００２７】
図１は、支え部材３をバイス式取付具の一端に固定した場合を示したが、支え部材３を自立式スタンドの上端部に固定するようにしてもよいし、他の支持構造に取り付けるようにしてもよい。
【００２８】
以上、図面を参照して本考案の実施形態を説明したが、本考案は、図示した構造のものに限定されない。図示した実施形態に対して、本考案と同一の範囲内において、あるいは均等の範囲内において、種々の修正や変形を加えることが可能である。
【符号の説明】
【００２９】
１  投光器、２  ランプ本体、３  支え部材、４  連結装置、５  バイス式取付具、２１  本体容器、２２  電球グローブ、２３  カバー枠、３１  筒体、３２  止めネジつまみ、３３  第１接続部、３４  止めネジつまみ、３５  第１環状凹凸部、４１  ガイドレール、４１ａ  張り出し部、４２  スライド部材、４２ａ  抱え部、４３  第２接続部、４４  第２環状凹凸部、４５  スライド固定ねじ。
【図１】
0003212490.tif 000003
【図２】
0003212490.tif 000004
【図３】
0003212490.tif 000005
【図４】
0003212490.tif 000006
【図５】
0003212490.tif 000007
【図６】
0003212490.tif 000008
【図７】
0003212490.tif 000009